(57)【要約】  本発明は、針（１２）を介して患者に液体薬剤を注入可能な薬剤注入装置（２）に関する。注入された薬剤が患者の注射箇所から局部に適切に分注される前に、針（１２）が引き抜かれると、注入された薬剤は針の刺し傷を介して抜け出してしまい患者に投与されない場合がある。あいにく、使用者は適当な分注時間が経過したと感じると、待ちきれなくなって針（１２）を抜き取ってしまうのが一般的である。使用者が判定する待ち時間は薬剤を分注する所要時間よりも往々にして短くなり、このことから明らかな問題点が発生する。薬剤注入装置（２）が開示されており、タイマーとディスプレイ（１３）とを具備し、タイマーは、注入操作の開始とともに作動し、タイマーは注入操作の完了後の所定時間まで動作し、ディスプレイ（１３）はタイマーが動作している間作動する。
2005511253.tif 000002
【特許請求の範囲】
【請求項１】
タイマーとディスプレイとを具備する薬剤注入装置であって、前記タイマーは注入操作の開始とともに作動し、前記タイマーは注入操作の完了後の所定時間まで動作し、前記ディスプレイは前記タイマーが動作している間作動することを特徴とする薬剤注入装置。
【請求項２】
前記ディスプレイは、前記タイマーが動作している間に、交互に、所定状態から切り換えられ、また所定状態へ切り換えられる複数のアイコンを具備することを特徴とする請求項１に記載の薬剤注入装置。
【請求項３】
前記複数のアイコンの各々は所定のシーケンスで前記所定状態から切り換えられ、また前記所定状態へ切り換えられることを特徴とする請求項２に記載の薬剤注入装置。
【請求項４】
前記複数の第一アイコンの前記所定状態は、前記複数の第一アイコンの各々が消灯に切り換えられ、再度点灯に切り換えられる所定シーケンス状態で、「点灯」状態であることを特徴とする請求項２又は３に記載の薬剤注入装置。
【請求項５】
前記複数のアイコンの各々は、所定時間の間に所定状態から切り換えられ、また所定状態へ切り換えられることを特徴とする請求項２又は３に記載の薬剤注入装置。
【発明の詳細な説明】
【技術分野】
【０００１】
本発明は、薬剤注入装置に関する。特に、これに限定されるものではないが、本発明は電子的に制御される薬剤注入装置に適用される。
【背景技術】
【０００２】
ボタンが操作されると、薬剤の設定された投与量を針ユニットを介して注入する薬剤注入装置がＷＯ９７／３０７４２により公知となっている。スイッチを操作するとストップウォッチが設定され、スイッチを操作すると始動する。さらに、この薬剤注入装置はディスプレイを含んでいる。注入ストロークが完了した瞬間から数秒間カウントされて表示され、使用者が注入終了後数秒間は針が挿入された状態であることを確認できるようになる。注入された薬剤が患者の注入箇所から局部に適切に分注される前に針が引き抜かれると、注入された薬剤は針の刺し傷を介して抜け出してしまい、患者内へ分注されない場合があるので、これは望ましい方法である。
【特許文献１】ＷＯ９７／３０７４２
【発明の開示】
【発明が解決しようとする課題】
【０００３】
あいにく、特に、患者が薬剤注入装置を使って薬剤を自己投与する場合には、使用者は適当な時間が経過したと感じると、待ちきれなくなって針を引き抜いてしまうのが一般的である。しかるべき時間が薬剤の分注所要時間より短くなり、上記で説明した問題が往々にして発生する場合が多い。
【０００４】
本発明の利点は、この問題を大幅に緩和し、又は少なくとも軽減することである。
【課題を解決するための手段】
【０００５】
本発明の第一態様によれば、薬剤注入装置は、タイマーとディスプレイを具備し、注入操作の開始とともにタイマーが作動し、タイマーは注入操作の完了後の所定時間まで動作し、ディスプレイはタイマーが動作している間作動する。
【０００６】
言い換えると、使用者には注入操作は表示されない。つまり、ディスプレイが停止すると、使用者は針を安全に引き抜くことができる。注入操作がいつ停止したかは使用者は分からないので、針をどの時点で引き抜くかを使用者は推定できなくなり、認識されている問題は発生しない。
【０００７】
好ましくは、ディスプレイは、タイマーが動作している間に、交互に、所定状態から切り換えられ、また所定状態へ切り換えられる複数のアイコンを具備する。
【０００８】
さらに好ましくは、複数のアイコンの各々は所定のシーケンスで所定状態から切り換えられ、また所定状態へ切り換えられる。
【０００９】
最も好ましくは、複数の第一アイコンの所定状態は、複数の第一アイコンの各々が消灯に切り換えられ、再度、点灯に切り換えられる所定シーケンス状態で「点灯」になっている状態とする。
【００１０】
好ましくは、複数のアイコンの各々は、所定時間の間に所定状態から切り換えられ、また所定状態へ切り換えられる。この所定時間の間隔は、典型的にはほんの一瞬からなる。
【発明を実施するための最良の形態】
【００１１】
以下では、実施例のみに基づいて、添付図面を参照しながら本発明を説明する。図１は、本発明による薬剤注入装置の概略図である。図２は、本発明による薬剤注入装置とともに使用するのに適したディスプレイを示す図である。
【実施例】
【００１２】
図１を参照すると、本発明による薬剤注入装置の概略構成が開示されている。薬剤注入装置２は、ハウジング４、制御ユニット又はマイクロプロセッサ６、駆動手段８、ピストン１０、針ユニット１２及びディスプレイ１３を具備する。
【００１３】
好ましくは交換可能な薬剤カートリッジ１４は、ピストン１０と針ユニット１２との間に配置される。薬剤カートリッジ１４は、針ユニットにより貫通されるように適応された第一端部での閉鎖部と、薬剤カートリッジの第二端部に向かって配置され、ピストン１０によって薬剤カートリッジ１４の第一端部に向かって駆動されるように適応された可動プランジャとを含んでいる。
【００１４】
制御ユニット又はマイクロプロセッサ６はそれとともに対応したタイマーを含んでいる。使用時には、注入される薬剤の投与量が設定される。そして、駆動手段８が作動して、ピストン１０を駆動する。駆動手段８は、機械的に、又は制御ユニット又はマイクロプロセッサ６の制御により作動させてもよい。薬剤カートリッジ１４内部からの薬剤は、薬剤注入装置２から放出される。
【００１５】
注入操作が開始するとタイマーが作動する。タイマーは注入操作の完了後の時間まで動作し、ディスプレイはタイマーが動作している間作動する。注入操作の完了後の時間は注入された薬剤が患者の注入箇所から局部に十分に分注できる程度の時間とする。タイマーが動作するに従って経過する時間がディスプレイ１３上に表示される。
【００１６】
ここで、図２を参照しながら、本発明とともに使用するためのディスプレイ１３が示されている。ディスプレイ１３は複数の第一アイコン２０Ａ〜２０Ｚを含んでおり、各々のアイコンはマイクロプロセッサ６の制御により所定状態から点灯及び消灯に切り換えられる。また、ディスプレイ１３は、注入される投与量の容量、クロック及び／又はエラーメッセージを含むが、これらに限定されない更なるパラメータを表示するアイコン２２をさらに含んでいてもよい。
【００１７】
好適実施例においては、注入操作が開始する前に複数の第一アイコン２０Ａ〜２０Ｚの全てが点灯する。これは、第一アイコンの所定状態を示している。タイマーが始動すると、最下位の第一アイコン２０Ａが短時間で消灯する。このアイコン２０Ａが点灯状態に戻ると、上位のアイコン２０Ｂが短時間で消灯する。最上位の第一アイコン２０Ｚが短時間で消灯するまでこの工程が繰返される。このアイコン２０Ｚが点灯状態に戻ると、再度、最下位の第一アイコン２０Ａが短時間で消灯する。
【００１８】
タイマーが動作している限り、上記のシーケンスが繰返される。
【００１９】
複数の第一アイコン２０Ａ〜２０Ｚの各々は、所望する限り、消灯してもよい。但し、繰り返し表示する場合には、例えば、ほんの一瞬程度の短時間が有用であることが分かっている。
【００２０】
複数の第一アイコン２０Ａ〜２０Ｚは、他の形状に形成されても、他の構成に配置されてもよいことはと理解し得るであろう。
【００２１】
他の実施例においては、第一アイコン２０Ａ〜２０Ｚの全ては短時間に同時に点灯又は消灯に切り換えられ、使用者に対して注入操作の開始を確認させるようにしてもよい。
【００２２】
他の実施例においては、第一アイコンの所定状態は消灯の状態であり、この状態では繰り返し表示は、点灯に切り換えられた状態から順次に消灯に切り換えられる個別のアイコンによって行われる。
【図面の簡単な説明】
【００２３】
【図１】図１は、本発明による薬剤注入装置の概略図である。
【図２】図２は、本発明による薬剤注入装置とともに使用するために適したディスプレイを示す図である。
【図１】
2005511253.tif 000003
【図２】
2005511253.tif 000004
【国際調査報告】
2005511253.tif 000005
2005511253.tif 000006
2005511253.tif 000007